(57)【要約】【課題】表示パネルを傷付けることなく筐体に保持することができ、組み立て作業を効率よく行えるテレビを得ることにある。【解決手段】電子機器は、開口部が設けられたフロントベゼルを有する筐体を備えている。表示パネルおよびミドルフレームが筐体に収容されている。表示パネルは、開口部から露出された画面を有する。ミドルフレームは、表示パネルの外周部を支持する支持面を有するとともに、当該支持面とフロントベゼルとの間で表示パネルの外周部を挟んで保持するように構成されている。補強部材がミドルフレームに取り付けられている。補強部材は、ミドルフレームを補強するとともに、フロントベゼルに連結子を介して固定されている。【選択図】図２
2014077927.tif 000002
【特許請求の範囲】
【請求項１】
開口部が設けられたフロントベゼルを有する筐体と、
前記筐体に収容され、前記開口部から露出された画面を有する表示パネルと、
前記筐体に収容され、前記表示パネルの外周部を支持する支持面を有するとともに、当該支持面と前記フロントベゼルとの間で前記表示パネルの外周部を挟んで保持するように構成されたミドルフレームと、
前記ミドルフレームに取り付けられて当該ミドルフレームを補強するとともに、前記フロントベゼルに連結子を介して固定された補強部材と、
を具備したテレビ。
【請求項２】
請求項１に記載のテレビにおいて、前記補強部材は、前記ミドルフレームの前記支持面の反対側に位置されたテレビ。
【請求項３】
請求項１又は請求項２に記載のテレビにおいて、前記フロントベゼルは、前記ミドルフレームを取り囲む壁部を有し、前記ミドルフレームは、前記壁部に引っ掛かる複数の係合爪を有し、前記係合爪を前記壁部に引っ掛けることで前記ミドルフレームが前記フロントベゼルに仮止めされたテレビ。
【請求項４】
請求項３に記載のテレビにおいて、前記フロントベゼルは、前記補強部材に向けて突出された受け部を有し、前記連結子が前記フロントベゼルの前記受け部と前記補強部材との間に跨るように嵌合されたテレビ。
【請求項５】
請求項４に記載のテレビにおいて、前記筐体は、前記フロントベゼルを背後から覆うように前記フロントベゼルに組み合わされたバックベゼルを含み、当該バックベゼルは、前記フロントベゼルに組み合わせた時に、前記連結子を押さえて前記連結子が前記受け部および前記補強部材から抜け出るのを阻止するように構成されたテレビ。
【請求項６】
請求項５に記載のテレビにおいて、前記バックベゼルは、前記フロントパネルに組み合わせた状態で前記補強部材に複数のねじで固定されたテレビ。
【請求項７】
請求項１に記載のテレビにおいて、前記フロントベゼルおよび前記ミドルフレームは、樹脂材料で構成され、前記補強部材は、金属材料で構成されたテレビ。
【請求項８】
請求項１に記載のテレビにおいて、前記フロントベゼルと前記表示パネルの外周部との間に介在された第１のクッション材と、前記ミドルフレームの前記支持面と前記表示パネルの外周部との間に介在された第２のクッション材と、をさらに備えたテレビ。
【請求項９】
筐体と、
前記筐体に収容された表示パネルと、
前記筐体に収容され、前記筐体の前壁との間で前記表示パネルの外周部を挟んで保持するように構成されたミドルフレームと、
前記ミドルフレームを補強するとともに、前記筐体に固定された補強部材と、
を具備したテレビ。
【請求項１０】
請求項９に記載のテレビにおいて、前記ミドルフレームは、前記表示パネルの外周部に沿う第１ないし第４の辺部を有し、前記補強部材が前記第１ないし第４の辺部のうちの少なくとも一つの辺部に設けられたテレビ。
【請求項１１】
請求項９又は請求項１０に記載のテレビにおいて、前記筐体の前記前壁は、前記ミドルフレームを取り囲む壁部を有し、前記ミドルフレームは、前記壁部に取り外し可能に引っ掛かる複数の係合爪を有し、前記係合爪を前記壁部に引っ掛けることで前記ミドルフレームが前記筐体に保持されたテレビ。
【請求項１２】
請求項１１に記載のテレビにおいて、前記筐体は、前記前壁から前記補強部材に向けて突出されたピン受け部を有し、前記ミドルフレームは、前記補強部材と前記ピン受け部との間に跨るピンを介して前記筐体に固定されたテレビ。
【請求項１３】
請求項１２に記載のテレビにおいて、前記筐体は、前記前壁を含む第１のカバーと、当該第１のカバーに組み合わされた第２のカバーと、を含み、前記第２のカバーは、前記第１のカバーに組み合わせた時に、前記ピンを押さえて前記ピンが前記ピン受け部および前記補強部材から抜け出るのを阻止するように構成されたテレビ。
【請求項１４】
請求項１３に記載のテレビにおいて、前記第２のカバーは、前記第１のカバーに組み合わせた状態で前記補強部材に複数のねじで固定されたテレビ。
【請求項１５】
請求項１３又は請求項１４に記載のテレビにおいて、前記表示パネルの背後に配置された導光モジュールと、当該導光モジュールに光を照射する光源モジュールと、をさらに備えており、前記導光モジュールおよび前記光源モジュールが前記ミドルフレームと前記第２のカバーとの間に収容されたテレビ。
【請求項１６】
前壁を有する筐体と、
前記筐体に収容されたパネルと、
前記筐体に収容され、前記パネルの外周部を支持する支持面を有するとともに、当該支持面と前記前壁との間で前記パネルの外周部を挟んで保持するように構成されたミドルフレームと、
前記ミドルフレームを補強するように前記ミドルフレームに取り付けられているとともに、前記前壁に固定された補強部材と、
を具備した電子機器。
【請求項１７】
請求項１６に記載の電子機器において、前記筐体は、前記前壁から前記補強部材に向けて突出されたピン受け部を有し、前記ミドルフレームは、前記補強部材と前記ピン受け部との間に跨るピンを介して前記筐体に固定された電子機器。
【請求項１８】
請求項１７に記載の電子機器において、前記筐体は、前記前壁を含む第１のカバーと、当該第１のカバーに組み合わされた第２のカバーと、を含み、前記第２のカバーは、前記第１のカバーに組み合わせた時に、前記ピンを押さえて前記ピンが前記ピン受け部および前記補強部材から抜け出るのを阻止するように構成された電子機器。
【請求項１９】
請求項１６ないし請求項１８のいずれか一項に記載の電子機器において、前記ミドルフレームは、前記パネルの外周部に沿う第１ないし第４の辺部を有し、前記補強部材が前記第１ないし第４の辺部のうちの少なくとも一つの辺部に設けられた電子機器。
【発明の詳細な説明】
【技術分野】
【０００１】
本発明の実施形態は、テレビおよび電子機器に関する。
【背景技術】
【０００２】
液晶テレビは、映像を表示する液晶パネルを備えている。液晶パネルは、ミドルフレームを介して筐体に保持されている。ミドルフレームは、筐体のフロントベゼルとの間で液晶パネルの外周部を挟み込んでいる。
【先行技術文献】
【特許文献】
【０００３】
【特許文献１】特開２００９−５３４４０号公報
【特許文献２】特開２０１２−１３８３００号公報
【発明の概要】
【発明が解決しようとする課題】
【０００４】
従来の液晶テレビによると、液晶パネルを筐体に保持する時に、ミドルフレームが液晶パネルを傷付けることがある。このため、ミドルフレームを液晶パネルに慎重に組み付ける必要があり、液晶テレビの組み立て作業を効率よく行う上で改善の余地がある。
【０００５】
本発明の目的は、表示パネルを傷付けることなく筐体に保持することができ、組み立て作業を効率よく行えるテレビを得ることにある。
【課題を解決するための手段】
【０００６】
実施形態によれば、電子機器は、開口部が設けられたフロントベゼルを有する筐体を備えている。表示パネルおよびミドルフレームが前記筐体に収容されている。前記表示パネルは、前記開口部から露出された画面を有する。前記ミドルフレームは、前記表示パネルの外周部を支持する支持面を有するとともに、当該支持面と前記フロントベゼルとの間で前記表示パネルの外周部を挟んで保持するように構成されている。補強部材が前記ミドルフレームに取り付けられている。前記補強部材は、前記ミドルフレームを補強するとともに、前記フロントベゼルに連結子を介して固定されている。
【図面の簡単な説明】
【０００７】
【図１】（Ａ）は、液晶テレビの正面図。（Ｂ）は、液晶テレビの側面図。
【図２】補強部材がフロントベゼルにピンを介して固定された状態を示す液晶テレビの断面図。
【図３】バックベゼルが補強部材にねじで固定された状態を示す液晶テレビの断面図。
【図４】導光モジュールの表面シートがバックベゼルに保持された状態を示す液晶テレビの断面図。
【図５】バックベゼルの正面図。
【図６】ミドルフレームの正面図。
【図７】補強部材で補強されたミドルフレームの背面図。
【図８】補強部材で補強されたミドルフレームの斜視図。
【図９】ミドルフレームに補強部材を取り付けた状態を示す斜視図。
【図１０】ミドルフレームの壁部およびピン受け部を示す斜視図。
【図１１】ミドルフレームをフロントベゼルに組み込んだ状態を示す斜視図。
【発明を実施するための形態】
【０００８】
以下、実施形態について、図面を参照して説明する。
【０００９】
図１は、一つの実施形態に係る液晶テレビ１を開示している。液晶テレビ１は、電子機器の一例である。液晶テレビ１は、卓上スタンド２およびテレビ本体３を備えている。卓上スタンド２は、例えばテレビ台の天板Ｔの上に据え付けられる。テレビ本体３は、天板Ｔの上で垂直に起立するように卓上スタンド２に支持されている。
【００１０】
図１ないし図４に示すように、テレビ本体３は、筐体５、ミドルフレーム６、液晶表示パネル７およびバックライトモジュール８を含んでいる。
【００１１】
筐体５は、例えば偏平な四角い箱形の形状を有している。筐体５は、フロントベゼル１０およびバックベゼル１１を備えている。フロントベゼル１０およびバックベゼル１１は、例えばＡＢＳ樹脂のような合成樹脂材料で構成されている。
【００１２】
フロントベゼル１０は、第１のカバーの一例であって、筐体５の前壁を構成している。前壁は、視聴者と向かい合うように略垂直に起立している。フロントベゼル１０は、第１ないし第４の縁部１２ａ，１２ｂ，１２ｃ，１２ｄを有する四角い枠状である。第１の縁部１２ａおよび第３の縁部１２ｃは、筐体５の幅方向に水平に延びているとともに、筐体５の高さ方向に間隔を存して平行に配置されている。第２の縁部１２ｂおよび第４の縁部１２ｄは、筐体５の高さ方向に起立しているとともに、筐体５の幅方向に間隔を存して平行に配置されている。
【００１３】
このため、第１ないし第４の縁部１２ａ，１２ｂ，１２ｃ，１２ｄは、互いに協働して四角い開口部１３を規定している。言い換えると、第１の縁部１２ａは、開口部１３の上縁を規定し、第３の縁部１２ｃは、開口部１３の下縁を規定している。第３の縁部１２ｂおよび第４の縁部１２ｄは、夫々開口部１３の左側縁および右側縁を規定している。
【００１４】
バックベゼル１１は、第２のカバーの一例である。バックベゼル１１は、フロントベゼル１０を背後から覆うようにフロントベゼル１０に組み合わされている。図２および図５に示すように、バックベゼル１１は、後壁１４および周壁１５を有している。後壁１４は、四角い形状を有するとともに、フロントベゼル１０と向かい合うように起立している。周壁１５は、後壁１４の外周縁からフロントベゼル１０に向けて突出されている。周壁１５は、後壁１４の周方向に連続するとともに、その先端がフロントベゼル１０の外周縁部に突き合わされている。
【００１５】
図２、図３、図１０および図１１に示すように、フロントベゼル１０は、複数の壁部１６および複数のピン受け部１７を有している。壁部１６は、開口部１３を取り囲むようにフロントベゼル１０からバックベゼル１１の後壁１４に向けて突出されている。複数の係合孔１８が壁部１６に形成されている。係合孔１８は、フロントベゼル１０の周方向に間隔を存して並んでいる。
【００１６】
ピン受け部１７は、フロントベゼル１０からバックベゼル１１の後壁１４に向けて突出されているとともに、フロントベゼル１０の周方向に間隔を存して配置されている。各ピン受け部１７は、貫通孔１９を有している。
【００１７】
ミドルフレーム６は、例えばＡＢＳ樹脂のような合成樹脂材料で構成されている。ミドルフレーム６は、筐体５の内部に収容されて、フロントベゼル１０の壁部１６で取り囲まれている。言い換えると、ミドルフレーム６は、フロントベゼル１０の開口部１３と壁部１６との間に位置されている。
【００１８】
図６に示すように、ミドルフレーム６は、第１ないし第４の辺部２０ａ，２０ｂ，２０ｃ，２０ｄを有する四角い枠状である。第１の辺部２０ａは、フロントベゼル１０の第１の縁部１２ａに沿って延びている。第２の辺部２０ｂは、フロントベゼル１０の第２の縁部１２ｂに沿って延びている。第３の辺部２０ｃは、フロントベゼル１０の第３の縁部１２ｃに沿って延びている。第４の辺部２０ｄは、フロントベゼル１０の第４の縁部１２ｄに沿って延びている。第１ないし第４の辺部２０ａ，２０ｂ，２０ｃ，２０ｄは、互いに協働して四角い開口部２１を規定している。
【００１９】
図６に示すように、ミドルフレーム６の第１ないし第４の辺部２０ａ，２０ｂ，２０ｃ，２０ｄは、夫々平坦な支持面２２を有している。支持面２２は、開口部２１を取り囲むようにミドルフレーム６の周方向に連続されているとともに、互いに同一の面上に位置されている。支持面２２は、フロントベゼル１０と向かい合っている。
【００２０】
図２、図８および図９に示すように、ミドルフレーム６の第１ないし第４の辺部２０ａ，２０ｂ，２０ｃ，２０ｄは、夫々支持壁２５を有している。支持壁２５は、第１ないし第４の辺部２０ａ，２０ｂ，２０ｃ，２０ｄの長手方向に延びているとともに、支持面２２の反対側に向けて突出されている。
【００２１】
図６に示すように、ミドルフレーム６は、複数の係合爪２６を有している。係合爪２６は、ミドルフレーム６の第１ないし第４の辺部２０ａ〜２０ｄからミドルフレーム６の外側に向けて突出されている。係合爪２６は、ミドルフレーム６の周方向に間隔を存して並んでいる。
【００２２】
図７に概略を示すように、ミドルフレーム６に補強部材２８が取り付けられている。補強部材２８は、例えばミドルフレーム６よりも強度が高い金属板で構成されている。本実施形態の補強部材２８は、第１ないし第３の補強金具２９ａ，２９ｂ，２９ｃに分割されている。
【００２３】
第１の補強金具２９ａは、ミドルフレーム６の第１の辺部２０ａに取り付けられて、第１の辺部２０ａに沿って延びている。第２の補強金具２９ｂは、ミドルフレーム６の第２の辺部２０ｂに取り付けられて、第２の辺部２０ｂに沿って延びている。第３の補強金具２９ｃは、ミドルフレーム６の第４の辺部２０ｄに取り付けられて、第４の辺部２０ｄに沿って延びている。
【００２４】
図７に示すように、第１の補強金具２９ａの一端部および第２の補強金具２９ｂの一端部は、ミドルフレーム６の第１の辺部２０ａと第２の辺部２０ｂとで規定された角部６ａに達することなく互いに離れている。
【００２５】
同様に、第１の補強金具２９ａの他端部および第３の補強金具２９ｃの一端部は、ミドルフレーム６の第１の辺部２０ａと第４の辺部２０ｄとで規定された角部６ｂに達することなく互いに離れている。
【００２６】
第１ないし第３の補強金具２９ａ〜２９ｃは、基本的に略共通の形状を有している。そのため、本実施形態では、第１の補強金具２９ａを代表して説明し、第２および第３の補強金具２９ｂ，２９ｃに関しては同一の参照符号を付して、その説明を省略する。
【００２７】
図２および図３に示すように、第１の補強金具２９ａは、ミドルフレーム６の支持壁２５を挟み込む一対の挟持部３０ａ，３０ｂと、挟持部３０ａ，３０ｂの一側縁との間を結ぶ連結部３１とを有している。第１の補強金具２９ａは、ミドルフレーム６の支持面２２の背後から支持壁２５を覆うように支持壁２５に嵌め込まれて、ミドルフレーム６と一体化されている。これにより、樹脂製のミドルフレーム６が補強部材２８により補強されて、四角い形状を維持するようになっている。
【００２８】
第１の補強金具２９ａの一方の挟持部３０ａは、ミドルフレーム６の第１の辺部２０ａの外側に位置されている。一方の挟持片３０ａは、複数の嵌合孔３２を有している。嵌合孔３２は、ピン受け部１７の貫通孔１９に対応するように第１の補強金具２９ａの長手方向に間隔を存して並んでいる。
【００２９】
第１の補強金具２９ａの連結部３１は、バックベゼル１１の後壁１４と向かい合うようにミドルフレーム６の背後で起立されている。連結部３１は、複数のねじ孔３３を有している。ねじ孔３３は、第１の補強金具２９ａの長手方向に間隔を存して並んでいる。
【００３０】
補強部材２８で補強されたミドルフレーム６は、フロントベゼル１０の壁部１６およびピン受け部１７で囲まれた領域に位置するようにフロントベゼル１０に重ねられている。これにより、図１１に示すように、ミドルフレーム６の係合爪２６が壁部１６の係合孔１８に弾性的に引っ掛かる。
【００３１】
この結果、ミドルフレーム６がフロントベゼル１０に仮止めされる。ミドルフレーム６がフロントベゼル１０に仮止めされた状態では、第１ないし第３の補強金具２９ａ，２９ｂ，２９ｃの嵌合孔３２がピン受け部１７の貫通孔１９と合致し、かつミドルフレーム６の開口部２１がフロントベゼル１０の開口部１３と合致するように、ミドルフレーム６とフロントベゼル１０との間の相対的な位置合わせが実行される。
【００３２】
図２および図１１に示すように、補強部材２８を有するミドルフレーム６は、複数のピン３５を介してフロントベゼル１０に固定されている。ピン３５は、連結子の一例であって、ピン受け部１７の貫通孔１９から第１ないし第３の補強金具２９ａ，２９ｂ，２９ｃの嵌合孔３２に嵌め込まれている。この嵌め込みにより、フロントベゼル１０に対するミドルフレーム６の位置が固定的に定められている。
【００３３】
さらに、ピン３５は、円盤状の頭部３６を有している。頭部３６は、ピン受け部１７の上に重ねられて、バックベゼル１１の周壁１５で覆われている。周壁１５は、頭部３６に接触又は近接することで、ピン３５が貫通孔１９および嵌合孔３２から抜け出ることがないようにピン３５を押さえている。
【００３４】
図３および図５に示すように、バックベゼル１１の後壁１４の外周部に複数の座部３７が形成されている。座部３７は、バックベゼル１１をフロントベゼル１０に組み合わせた時に、第１ないし第３の補強金具２９ａ，２９ｂ，２９ｃの連結部３１に突き当たる。それとともに、座部３７は、連結部３１のねじ孔３３と合致する挿入孔３８を有している。
【００３５】
複数のねじ３９がバックベゼル１１の背後から挿入孔３８に挿入されている。ねじ３９は、挿入孔３８を通じてねじ孔３３にねじ込まれている。このねじ込みにより、バックベゼル１１が補強部材２８に固定されて、フロントベゼル１０、バックベゼル１１およびミドルフレーム６が一体的に結合されている。
【００３６】
図２に示すように、液晶表示パネル７は、筐体５の内部に収容されている。液晶表示パネル７は、液晶層や駆動基板を有するパネル本体４１、第１の保護シート４２ａおよび第２の保護シート４２ｂを有する偏平な四角い板である。
【００３７】
液晶表示パネル７は、映像を映し出す画面７ａを有している。第１の保護シート４２ａは、液晶表示パネル７の画面７ａに積層されている。第２の保護シート４２ｂは、液晶表示パネル７の背面に積層されている。液晶表示パネル７の外周部は、ミドルフレーム６の支持面２２とフロントベゼル１０との間に介在されている。
【００３８】
本実施形態によると、第１のクッション材４３がフロントベゼル１０と液晶表示パネル７の外周部との間に介在されている。さらに、第２のクッション材４４がミドルフレーム６の支持面２２と液晶表示パネル７の外周部との間に介在されている。第１および第２のクッション材４３，４４は、例えばゴムシートのような弾性体で構成されている。
【００３９】
したがって、液晶表示パネル７は、フロントベゼル１０とミドルフレーム６の支持面２２との間で弾性的に挟持されて、その画面７ａが開口部１３から筐体５の外に露出されている。
【００４０】
図２に示すように、バックライトモジュール８は、筐体５の内部に収容されている。バックライトモジュール８は、導光モジュール４７、放熱板４８および光源モジュール４９を備えている。
【００４１】
導光モジュール４７は、液晶表示パネル７の背後に配置されている。導光モジュール４７は、導光板５０、光反射シート５１および表面シート５２を含んでいる。導光板５０は、液晶表示パネル７のパネル本体４１と同等の大きさを有する四角い板であり、光透過性を有している。導光板５０は、ミドルフレーム６とバックベゼル１１の後壁１４との間に介在されて、ミドルフレーム６の開口部２１と向かい合っている。
【００４２】
光反射シート５１は、導光板５０の背面に積層されている。表面シート５２は、第１のプリズムシート５３、第２のプリズムシート５４および光拡散シート５５を含んでいる。第１のプリズムシート５３は、導光板５０の表面に積層されている。第２のプリズムシート５４は、第１のプリズムシート５３の上に積層されている。光拡散シート５５は、第２のプリズムシート５４の上に積層されている。
【００４３】
図５に二点鎖線で示すように、表面シート５２の上縁の三箇所に延長部５７が形成されている。図４に示すように、延長部５７は、導光板５０の上縁よりも上方に延びているとともに、バックベゼル１１の後壁１４と向かい合っている。後壁１４は、延長部５７に対応する三箇所にリブ５８を有している。リブ５８は、延長部５７に形成されたスリット５９に引っ掛かることで、表面シート５２をバックベゼル１１の後壁１４に保持している。
【００４４】
表面シート５２の上縁の左端部に位置された延長部５７は、ミドルフレーム６の第１の辺部２０ａと第２の辺部２０ｂとで規定された角部６ａに位置されている。本実施形態によると、第１の補強金具２９ａの一端部および第２の補強金具２９ｂの一端部は、ミドルフレーム６の第１の辺部２０ａと第２の辺部２０ｂとで規定された角部６ａに達することなく互いに離れている。
【００４５】
このため、表面シート５２の上縁の左端部に位置された延長部５７に対応する位置に第１の補強金具２９ａおよび第２の補強金具２９ｂは存在せず、延長部５７が第１および第２の補強金具２９ａ，２９ｂと干渉することはない。
【００４６】
同様に、表面シート５２の上縁の右端部に位置された延長部５７は、ミドルフレーム６の第１の辺部２０ａと第４の辺部２０ｄとで規定された角部６ｂに位置されている。本実施形態によると、第１の補強金具２９ａの他端部および第３の補強金具２９ｃの一端部は、ミドルフレーム６の第１の辺部２０ａと第４の辺部２０ｄとで規定された角部６ｂに達することなく互いに離れている。
【００４７】
したがって、表面シート５２の上縁の右端部に位置された延長部５７に対応する位置に第１の補強金具２９ａおよび第３の補強金具２９ｃは存在せず、延長部５７が第１および第３の補強金具２９ａ，２９ｃと干渉することはない。
【００４８】
図２に示すように、バックライトモジュール８の放熱板４８は、例えばアルミニウムのような熱伝導性に優れた金属材料で構成されている。放熱板４８は、バックベゼル１１の後壁１４に支持されている。放熱板４８は、導光板５０の下部を背後から覆うように、導光板５０の全長に亘って延びている。放熱板４８は、ミドルフレーム６の第２の辺部２０ｂと第４の辺部２０ｄとの間に跨って、ミドルフレーム６の第３の辺部２０ｃを補強している。さらに、放熱板４８の下端部に光源支持部６１が形成されている。光源支持部６１は、導光板５０の下面と向かい合っている。
【００４９】
光源モジュール４９は、放熱板４８の光源支持部６１に実装されている。光源モジュール４９は、ベース６２および複数の発光部６３（一つのみを図示）を備えている。ベース６２は、導光板５０の全長に亘って延びる金属板で構成されている。ベース６２は、光源支持部６１の上に設置されて、放熱板４８に熱的に接続されている。
【００５０】
発光部６３は、ベース６２の長手方向に間隔を存して一列に並んでいる。各発光部６３は、発光ダイオード６４および封止材６５を備えている。封止材６５は、蛍光体を含む透明な樹脂材料で構成され、発光ダイオード６４を包み込んでいる。
【００５１】
光源モジュール４９の発光ダイオード６４から放射された光は、図２に矢印で示すように、封止材６５を透過した後、導光板５０の下面から導光板５０に入射される。導光板５０に入射された光は、第１のプリズムシート５３、第２のプリズムシート５４および光拡散シート５５を透過して液晶表示パネル７に向かう。
【００５２】
導光板５０に入射された光のうち、バックベゼル１１に向かう光は、光反射シート５１で反射された後、第１のプリズムシート５３、第２のプリズムシート５４および光拡散シート５５を透過して液晶表示パネル７に向かう。
【００５３】
したがって、導光モジュール４７から液晶表示パネル７に向けて光が照射され、液晶表示パネル７の画面７ａに表示された映像の視認性が高まる。
【００５４】
このような構成を有する液晶テレビ１によると、フロントベゼル１０と協働して液晶表示パネル７の外周部を挟み込むミドルフレーム６が補強部材２８で補強されている。このため、ミドルフレーム６を液晶表示パネル７に対する攻撃性が少ない合成樹脂材料で構成することができ、ミドルフレーム６で液晶表示パネル７を保持する際に、液晶表示パネル７に傷が付き難くなる。
【００５５】
しかも、補強部材２８を構成する第１ないし第３の補強金具２９ａ，２９ｂ，２９ｃは、支持面２２の反対側に突出された支持壁２５に取り付けられている。そのため、第１ないし第３の補強金具２９ａ，２９ｂ，２９ｃが支持面２２から外れて、支持面２２の上の液晶表示パネル７と干渉することはない。
【００５６】
この結果、ミドルフレーム６を金属製の補強部材２８で補強したにも拘らず、補強部材２８が液晶表示パネル７を傷付けることはない。
【００５７】
さらに、本実施形態によると、補強部材２８の存在によりミドルフレーム６の剛性を確保することができ、ミドルフレーム６が液晶表示パネル７の外周部を取り囲むような形状に維持される。したがって、ミドルフレーム６とフロントベゼル１０との間で液晶表示パネル７の外周部を挟み込む時に、ミドルフレーム６が変形するのを防止でき、液晶テレビ１の組み立て時の作業性を良好に維持することができる。
【００５８】
加えて、本実施形態によると、ミドルフレーム６は、ピン３５をピン受け部１７の貫通孔１９から補強部材２８の嵌合孔３２に嵌め込むだけの作業でフロントベゼル１０に固定される。このため、ミドルフレーム６をフロントベゼル１０に固定するに当たって、ねじ止めのような面倒で手間のかかる作業が一切不要となり、液晶テレビ１の組み立て時の作業性を改善することができる。
【００５９】
それとともに、ピン３５は、バックベゼル１１をフロントベゼル１０に組み合わせた時に、貫通孔１９および嵌合孔３２から抜け出ることが無いようにバックベゼル１１の周壁１５によって押さえられる。このため、ピン３５の抜け出しを防止する専用の構成が不要となり、ミドルフレーム６およびフロントベゼル１０の構造を簡略化することができる。
【００６０】
本実施形態によると、ミドルフレームを補強する補強部材が第１ないし第３の補強金具に分割されている。しかしながら、補強部材は、ミドルフレームの周方向に連続する一体構造物としてもよい。
【００６１】
さらに、前記実施形態では、液晶テレビを電子機器の一例として説明したが、電子機器は液晶テレビに特定されるものではない。例えば、ノート型あるいはスレートタイプのポータブルコンピュータあるいはスマートフォンのようなその他の形態の電子機器に広く適用が可能である。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
５…筐体、６…ミドルフレーム、７…表示パネル（液晶表示パネル）、１０…フロントベゼル（前壁）、１３…開口部、２２…支持面、２８…補強部材、３５…連結子（ピン）。
【図１】
2014077927.tif 000003
【図２】
2014077927.tif 000004
【図３】
2014077927.tif 000005
【図４】
2014077927.tif 000006
【図５】
2014077927.tif 000007
【図６】
2014077927.tif 000008
【図７】
2014077927.tif 000009
【図８】
2014077927.tif 000010
【図９】
2014077927.tif 000011
【図１０】
2014077927.tif 000012
【図１１】
2014077927.tif 000013